(57)【要約】【課題】部分モードでのモニタ装置動作に適する、部分表示モードモニタ装置用の方法。【解決手段】本方法では、まず、割付けられたメモリ内の複数のメモリアドレスのうちに各画素が１つの対応するメモリアドレスを有するようにメモリを割付ける。直列コントローラを用いて、ディスプレイスクリーン上の原パターンが更新されているか否かを検出し判定する。ここで、原パターンはメモリに記憶されており、対応するメモリアドレスを有するいくつかの画素から構成されている。そうして、原パターンが新パターンに更新されていることを直列コントローラが検出した場合には、新パターンが原パターンと比較されて、メモリ内の対応するメモリアドレスに記憶されている原パターンが新パターンで置換えられる。最終的に、新パターンがモニタ装置に出力される。【選択図】図１
2004348142.tif 000002
【特許請求の範囲】
【請求項１】
モニタ装置を部分表示モードで動作させる方法であって、モニタ装置は複数の画素と、駆動回路とを備えており、駆動回路はメモリを備えており、この動作方法は、
メモリのメモリ領域を各画素に対応して割当てるステップと、
モニタ装置上の原パターンが更新されているか否かを検出するステップであって、その検出には直列コントローラが用いられるのであるステップと、
原パターンがメモリ内の対応するメモリアドレスに記憶されている新パターンに更新されていると直列コントローラが判定した際には、対応する原パターンを新パターンで置換え、対応する新パターンをモニタ装置に出力するステップと、
を備えている方法。
【請求項２】
メモリが静的ランダムアクセスメモリ（ＳＲＡＭ：ｓｔａｔｉｃ  ｒａｎｄｏｍ  ａｃｃｅｓｓ  ｍｅｍｏｒｙ）である請求項１に記載の方法。
【請求項３】
原パターンが新パターンに更新されていると直列コントローラが検出した際に、新パターンが、駆動回路のタイミングコントローラおよびデータラッチを介してデータコントローラに送られる請求項１に記載の方法。
【請求項４】
データコントローラが新パターンを原パターンと比較して、対応するメモリアドレスに新パターンを記憶した後に、新たな対応するパターンがＤ／Ａコントローラを介してモニタ装置に送られる請求項３に記載の方法。
【請求項５】
ディスプレイ装置を制御するディスプレイ制御装置であって、
ディスプレイスクリーン内に表示されるべきパターンを表現する一群の画素のための画像データに関連づけられ、これらを記憶するメモリアドレスであって、メモリアドレスに記憶された前記画像データはディスプレイ装置に出力されてそのパターンが表示可能であるメモリアドレスと、
メモリアドレスに記憶されている画像データが新たな入力画像データで変更されているかどうかを判定し、既に記憶されている画像データが新たな入力画像データで変更されていると判定された場合には、メモリアドレスに既に記憶されている画像データを新たな入力画像データで選択的に置換えるデータコントローラと、
を備えている装置。
【請求項６】
データコントローラがディスプレイ装置を部分表示モードで動作させる請求項５に記載のディスプレイ制御装置。
【請求項７】
データコントローラがタイミングコントローラおよびデータラッチを備えている請求項５に記載のディスプレイ制御装置。
【請求項８】
データコントローラが、新たな入力画像データを既に記憶されている画像データと比較することにより、既に記憶されている画像データが新たな入力画像データで変更されているかどうかを判定する請求項５に記載のディスプレイ制御装置。
【請求項９】
メモリアドレスに記憶されている画像データを出力するデータ出力コントローラを更に備えている請求項５に記載のディスプレイ制御装置。
【請求項１０】
データ出力コントローラがＤ／Ａコントローラを備えている請求項９に記載のディスプレイ制御装置。
【請求項１１】
複数のメモリアドレスであって、その各々は、ディスプレイスクリーン内に表示されるべき相異なるパターンを表現する一群の画素のための画像データに関連づけられ、これらを記憶するのであり、前記記憶された画像データはディスプレイ装置に出力されてそのパターンが表示可能であるメモリアドレスを更に備えている請求項８に記載のディスプレイ制御装置。
【請求項１２】
データコントローラが、相異なるパターンの各々に対して、関連するメモリアドレスに記憶されている画像データが新たな入力画像データで変更されているかどうかを判定し、既に記憶されている画像データが新たな入力画像データで変更されていると判定されたパターンに対しては、メモリアドレスに既に記憶されている画像データを新たな入力画像データで選択的に置換える請求項１１に記載のディスプレイ制御装置。
【請求項１３】
ディスプレイ装置と、
このディスプレイ装置を制御する請求項５に記載のディスプレイ制御装置と、
を備えている表示装置（ディスプレイ）。
【請求項１４】
請求項１３に記載の表示装置（ディスプレイ）と、
この表示装置（ディスプレイ）に入力画像データを供給するコントローラと、
を備えている電子装置。
【請求項１５】
ディスプレイ装置を制御する方法であって、
ディスプレイスクリーン内に表示されるべきパターンを表現する一群の画素のための画像データに対してメモリアドレスを関連づけ、画像データを記憶するステップであって、メモリアドレスに記憶された前記画像データはディスプレイ装置に出力されてそのパターンが表示可能であるステップと、
メモリアドレスに記憶されている画像データが新たな入力画像データで変更されているかどうかを判定するステップと、
既に記憶されている画像データが新たな入力画像データで変更されていると判定された場合には、メモリアドレスに既に記憶されている画像データを新たな入力画像データで選択的に置換えるステップと、
を備えている方法。
【発明の詳細な説明】
【技術分野】
【０００１】
本発明は、一般的にはモニタ装置に関し、より詳しくは、部分表示モードモニタ装置を動作させる方法に関する。
【背景技術】
【０００２】
最近、液晶ディスプレイ（ＬＣＤ：ｌｉｑｕｉｄ  ｃｒｙｓｔａｌ  ｄｉｓｐｌａｙ）が日常生活で広く用いられている。様々な携帯型電子製品において、電池の電力貯蔵容量には限界があるので、製品開発では節電設計であることが重要な観点となっている。したがって、ＬＣＤ関連モジュールの節電性能も、その開発における重要な課題の１つとなっている。先行技術では、通常、ＬＣＤ関連モジュールの節電設計として、電子製品が部分モードに入るように設定されている。部分モードでの動作中には、ＬＣＤの駆動回路は、日付、時刻、電力貯蔵指標、などを表す画像などのパターン化されたデジタルスクリーンデータを継続的に更新するために用いられる。パターン化されたデジタルスクリーンデータは集積回路（ＩＣ：ｉｎｔｅｇｒａｔｅｄ  ｃｉｒｃｕｉｔ）のメモリに記憶されるので、電子装置に追加の関連回路を取付ける必要はない。そうして電力消費が削減される。しかし、先行技術における部分モード動作では、パターン化されたデジタルスクリーンデータの全てがスクリーン上で更新されるので、更新が不要なパターン化されたデジタルスクリーンデータが繰返し更新されることにより、無駄な電力消費が生じる。したがって、この種の不要な電力消費を削減すれば、電池の寿命を延長できる。
【発明の開示】
【発明が解決しようとする課題】
【０００３】
本発明の目的は、部分モードでのモニタ装置動作に適した部分表示モードモニタ装置を動作させる方法を提供することにある。この方法では、更新が不要なパターン化されたデジタルスクリーンデータが部分モードで繰返し更新されることにより起こる電力消費を削減できる。
【課題を解決するための手段】
【０００４】
この新たなモニタ駆動方法および装置では、画素を各パターン（例えば、アイコンや識別可能な画像のグループ）にグループ分けし、対応する原画像データを新たな画像データ入力に変更すべきであると判定された各パターンを更新する。本発明は、電池電力指示器、信号強度指示器、日付やその他の情報または状態を表示する画像、を表すアイコンなどの「静的」な画像に適用可能である。これらの画像は、画像パターンが表示している基礎の状態や情報の変化に応じて必要となったその時々に更新されれば良いという種類のものである。
【０００５】
本発明の一実施例では、部分モードでのモニタ装置動作に適する、部分表示モードモニタ装置用の方法を提供する。この動作方法では、まず、画素データがこれに対応するメモリアドレスに記憶されるようにメモリを割付ける。直列コントローラを用いて、ディスプレイスクリーン上の原パターンが更新されているか否かを検出し判定する。ここで、原パターンはメモリに記憶されている。そうして、原パターンが新パターンに更新されていることを直列コントローラが検出した場合には、新パターンが原パターンと比較されて、メモリ内の対応するメモリアドレスに記憶されている原パターンが新パターンで置換えられる。最終的に、新パターンがモニタ装置に出力される。
【０００６】
本発明の一実施例では、駆動回路のデータコントローラが新パターンと原パターンとの比較を行う。原パターンが新パターンに更新されていることを直列コントローラが検出した際には、新パターンは、駆動回路のタイミングコントローラおよびデータラッチを介してデータコントローラに送られる。更に、データコントローラが新パターンを原パターンと比較して新パターンを対応するメモリアドレスに記憶した後、新パターンはＤ／Ａコントローラを介してモニタ装置に送られる。
【０００７】
本発明の一実施例では、部分表示モードで動作させる方法により、部分モードにおいて更新が不要であるパターンが繰返して更新されることによる電力消費を避けることができるので、電力が節約できる。更に、電子装置の動作回路の処理が簡略化されるので、電力消費が削減される。
【発明を実施するための最良の形態】
【０００８】
図１はＬＣＤモジュールの概略回路ブロック図である。ＬＣＤモジュール１００は、ＬＣＤ１０２と駆動回路１０４（これは、ＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ：特定用途向け集積回路）で構成されていても良い）とを備えている。駆動回路１０４は、メモリ１０６と、データコントローラ１０８と、タイミングコントローラおよびデータラッチ１１０と、Ｄ／Ａコントローラ１１２と、直列制御装置１１４と、を備えている。ＬＣＤ１０２は駆動回路１０４に電気的に接続されている。
【０００９】
本発明の一実施例では、ＬＣＤ１００が通常動作を行っている際に、デジタルスクリーンデータがタイミングコントローラおよびデータラッチ１１０に供給される。次いで、タイミングコントローラおよびデータラッチ１１０がデジタルスクリーンデータをデータコントローラ１０８に出力し、データコントローラ１０８がデジタルスクリーンデータをＤ／Ａコントローラ１１２に出力する。最終的に、Ｄ／Ａコントローラ１１２がデジタルスクリーンデータをＬＣＤ１０２に出力してスクリーン表示を形成する。
【００１０】
ディスプレイの動作が部分モードに設定された後、メモリ１０６で読出し／書込み動作が行われる。この動作は上述した従来の部分モード動作と同様であるのでここでは説明を省略する。
【００１１】
更新が不要なパターンを繰返し更新することにより部分モード中にも不要な電力消費を生じさせる従来のシステムとは異なり、本発明の駆動モジュール１０４は電池寿命を長持ちさせる。データコントローラ１０８はスクリーンデータをＳＲＡＭ１０６の所定の関連づけられたメモリアドレスに記憶する。すなわち、パターン化されたデジタルスクリーンデータの各画素がメモリ１０６内に１つの対応するメモリアドレスを有するように記憶する。部分モードでは、ディスプレイ装置のデジタルスクリーンデータがタイミングコントローラおよびデータラッチ１１０に入力された後、直列コントローラ１１４を用いて、ディスプレイスクリーン上の原パターンであるデジタルスクリーンデータが更新されているか否かが検出される。原パターンであるデジタルスクリーンデータが新パターンに更新されていることを直列コントローラ１１４からの制御信号が示している場合には、新パターンであるデジタルスクリーンデータが駆動回路１０４のタイミングコントローラおよびデータラッチ１１０を介してデータコントローラ１０８に送られる。データコントローラ１０８は、次いで、メモリ１０６に記憶されている原パターンであるデジタルスクリーンデータを新パターンであるデジタルスクリーンデータと置換える。更に、ディスプレイスクリーン全体を更新する必要がある場合には、直列コントローラ１１４がタイミングコントローラおよびデータラッチ１１０に１組の制御信号（一連の制御信号）を送る。次いで、タイミングコントローラおよびデータラッチ１１０が一連の制御信号をデータコントローラ１０８に入力し、データコントローラ１０８がディスプレイスクリーン全体のデータをメモリ１０６に書込む。他方で、ディスプレイスクリーンのパターン化されたデジタルスクリーンデータの一部分のみに更新の必要がある場合には、データコントローラ１０８は、対応するパターン化されたデジタルスクリーンデータをメモリ１０６の対応するアドレスに書込む。この対応するパターン化されたデジタルスクリーンデータは、次いで、Ｄ／Ａコントローラ１１２に出力され、その後、ＬＣＤ１０２に出力される。残りは更新されない。
【００１２】
図２は本発明の一実施例に係るＬＣＤパネルのディスプレイを示す図である。ＬＣＤ１０２には、典型的な携帯電話などと同様に、日付パターン２０４と、信号強度パターン２０６と、電池強度パターン２０８と、が表示されているものとする。図３には、本発明の好適な実施例に係るメモリマップ図の概略が示してある。本明細書では更に、日付パターン２０４の画素データがメモリ領域３０２（Ｘ１Ｙ１）に記憶されており、信号強度パターン２０６の画素データがメモリ領域３０４（Ｘ１Ｙ２）に記憶されており、電池強度パターン２０８の画素データがメモリ領域３０６（ＸｎＹｎ）に記憶されているものとする。なお、メモリ領域３０２，３０４，および３０６は事前に設定されたメモリ領域である。部分モードにおいて、日付パターン２０４と信号強度パターン２０６と電池強度パターン２０８とから構成されたディスプレイスクリーンデータがタイミングコントローラおよびデータラッチ１１０に入力された後、直列コントローラ１１４が、制御信号を用いて、これらの３つのパターンが更新されているか否かを検出する。これらの３つのパターンのうち信号強度パターン２０６のみが変更されている場合には、データコントローラ１０８はメモリアドレス３０４に記憶されているデータを更新するのみで、その他のメモリアドレスに記憶されているデータは更新しない。最終的に、タイミングコントローラおよびデータラッチ１１０が、メモリ１０６に記憶されているデータをＤ／Ａコントローラ１１２を介してモニタ装置１０２に表示する。
【００１３】
一般に、本発明は、図４に示したＬＣＤに適用できる。ＬＣＤ４００は、スクリーンパターンの画像を表示するための画素アレイ４０２等の表示装置を備えている。スクリーンパターンを表示するための画素アレイ４０２の画素は、図１に示したような駆動回路１０４によって制御される。更に、本発明は、ＬＣＤ４００とコントローラ４０６とを備えた電子装置に適用できる。コントローラ４０６は必要なデータと必要な制御信号とをＬＣＤ４００に入力する。
【００１４】
図５は、本発明の一実施例に係るＬＣＤパネルを駆動する方法に含まれる処理を示すフロー図である。図５では、表示装置を制御するこの方法は以下のステップを備えている。
【００１５】
ステップ５００では、ディスプレイスクリーン内に表示されるべきパターンを表現する一群の画素のための画像データに対してメモリアドレスを関連づけ、画像データを記憶する。メモリアドレスに記憶された前記画像データはディスプレイ装置に出力されてそのパターンが表示可能である。ステップ５０２では、メモリアドレスに記憶されている画像データが新たな入力画像データで変更されているかどうかを判定する。ステップ５０４では、既に記憶されている画像データが新たな入力画像データで変更されていると判定された場合には、メモリアドレスに既に記憶されている画像データを新たな入力画像データで選択的に置換える。
【００１６】
要約すれば、本発明では、部分モードでのモニタ装置動作に適する、部分表示モードモニタ装置動作用の装置および方法を提供する。ディスプレイスクリーンを更新する前に新スクリーンデータを原スクリーンデータと比較するので、本発明に係る動作方法では、変更された部分のデータのみが更新される。したがって、この動作方法では、更新が不要なパターンが繰返して更新されることによる電力消費を避けることができるので、電力が節約できる。
【００１７】
以上では本発明を好適な実施例に沿って説明した。本発明の精神から乖離することなく上述の実施例の修正を行い得ることは、当業者にとっては明らかであろう。したがって、本発明の技術範囲は上述の詳細な説明によってではなく添付した請求項によって規定される。
【００１８】
添付図面は本発明をより深く理解させるために添付してある。これらの図面は本明細書に包含されその一部分を構成する。各図面は本発明の実施例を例示しており、記述と共に本発明の原理を説明している。
【図面の簡単な説明】
【００１９】
【図１】本発明の一実施例に係るＬＣＤ駆動モジュールの概略回路ブロック図である。
【図２】本発明の一実施例に係るＬＣＤパネルを示す図である。
【図３】本発明の一実施例に係るメモリマップ図である。
【図４】本発明の一実施例に係る新規な駆動モジュールを備えたＬＣＤパネルを有する電子装置を示す概略図である。
【図５】本発明の一実施例に係るＬＣＤパネルを駆動する方法に含まれる処理を示すフロー図である。
【図１】
2004348142.tif 000003
【図２】
2004348142.tif 000004
【図３】
2004348142.tif 000005
【図４】
2004348142.tif 000006
【図５】
2004348142.tif 000007
【外国語明細書】
2004348142.tif 000008
2004348142.tif 000009
2004348142.tif 000010
2004348142.tif 000011
2004348142.tif 000012
2004348142.tif 000013
2004348142.tif 000014
2004348142.tif 000015
2004348142.tif 000016
2004348142.tif 000017
2004348142.tif 000018
2004348142.tif 000019
2004348142.tif 000020
2004348142.tif 000021